(57)【要約】【課題】位置登録が拒否された基地局及び通信回線の負荷を増大させることなく、当該基地局から配信されるブロードキャストメッセージを受信できる無線端末装置及び制御方法を提供すること。【解決手段】携帯電話機１は、信号を受信可能な基地局を探索する探索部３１と、探索された全ての基地局において位置登録が許可されなかった場合、当該位置登録が許可されなかった基地局のうちの１つに対して、位置登録せずに受信信号の同期処理を行い、当該基地局からのブロードキャストメッセージの受信待機状態とする受信制御部３２と、を備える。【選択図】図２
2011250140.tif 000002
【特許請求の範囲】
【請求項１】
位置登録した基地局を介して発着呼の処理を行う無線端末装置であって、
信号を受信可能な基地局を探索する探索部と、
前記探索部により探索された全ての基地局において位置登録が許可されなかった場合、当該位置登録が許可されなかった基地局のうちの１つに対して、位置登録せずに受信信号の同期処理を行い、当該基地局からのブロードキャストメッセージの受信待機状態とする制御部と、を備える無線端末装置。
【請求項２】
前記制御部は、前記位置登録が許可されなかった基地局から、当該位置登録の拒否情報を受信したことに応じて、前記受信待機状態とする請求項１に記載の無線端末装置。
【請求項３】
前記制御部は、前記拒否情報に前記ブロードキャストメッセージの受信許可データが含まれる、又は前記ブロードキャストメッセージの受信不許可データが含まれない場合に、前記受信待機状態とする請求項２に記載の無線端末装置。
【請求項４】
前記制御部は、前記受信待機状態においては、発呼の操作を受け付けない請求項１から請求項３のいずれか１項に記載の無線端末装置。
【請求項５】
前記制御部は、前記受信待機状態においては、緊急呼を示す発呼操作を検出した場合、前記同期処理を行った基地局へ位置登録して発呼要求を行い、その他の発呼操作を検出した場合、当該発呼操作を受け付けない請求項１から請求項３のいずれか１項に記載の無線端末装置。
【請求項６】
前記受信待機状態であるか否かを示す画面表示を行う表示部を備える請求項１から請求項５のいずれか１項に記載の無線端末装置。
【請求項７】
前記探索部は、前記受信待機状態において、一定周期で基地局を探索し、
前記制御部は、前記探索部により位置登録可能な基地局が探索された場合、当該基地局へ位置登録し、前記受信待機状態を解除する請求項１から請求項６のいずれか１項に記載の無線端末装置。
【請求項８】
位置登録した基地局を介して発着呼の処理を行う制御部を有する無線端末装置の制御方法であって、
前記制御部が信号を受信可能な基地局を探索する探索ステップと、
前記制御部が前記探索ステップにおいて探索された全ての基地局において位置登録が許可されなかった場合、当該位置登録が許可されなかった基地局のうちの１つに対して、位置登録せずに受信信号の同期処理を行い、当該基地局からのブロードキャストメッセージの受信待機状態とする制御ステップと、を含む制御方法。
【発明の詳細な説明】
【技術分野】
【０００１】
本発明は、基地局に位置登録して発着呼処理を行う無線端末装置及び制御方法に関する。
【背景技術】
【０００２】
従来、携帯電話機が位置登録する基地局として、通信可能なエリアが通常のマクロセルやマイクロセル等の基地局より狭い（例えば、半径数十ｍまでの）フェムト（Ｆｅｍｔｏ）セルを実現する小型の基地局が利用されている。このフェムトセルを用いた通信システムは、高層マンションやショッピングセンタ等における電波の不感地対策として、複数の小型基地局を設置し、ブロードバンド回線等を使用して音声又はデータ通信を行うシステムある（例えば、特許文献１参照）。
【０００３】
ここで、フェムトセルは、例えば、個人宅等に設置される場合もある。この場合、基地局所有者の家族以外の携帯電話機がこのフェムトセルに位置登録すると、基地局所有者の負担により用意されたブロードバンド回線の通信速度が低下する等、本来の利用者（家族）の利便性を低下させるおそれがある。そのため、特定の携帯電話機以外からの位置登録を拒否しているＣＳＧ（Ｃｌｏｓｅｄ  Ｓｕｂｓｃｒｉｂｅｒ  Ｇｒｏｕｐ／Ｃｌｏｓｅｄ  Ｓｅｒｖｉｃｅ  Ｇｒｏｕｐ）セルもある。このＣＳＧセルの基地局は、接続可能な携帯電話機を識別するためのリストを保持し、このリストに登録されていない携帯電話機からアクセスがあると、この接続を拒否する。
【０００４】
ところで、基地局の通信エリア内にある携帯電話機に対して、一斉にブロードキャストメッセージを配信する一例として、ＢＣＳＭＳ（Ｂｒｏａｄｃａｓｔ  Ｓｈｏｒｔ  Ｍｅｓｓａｇｉｎｇ  Ｓｅｒｖｉｃｅｓ）と呼ばれるサービスがある。ＢＣＳＭＳは、通信エリア内に存在する不特定多数の携帯電話機に対して、ショートメッセージサービスと呼ばれるプロトコルを利用して、限られた容量（例えば、１４０バイト）のメッセージを送信するサービスである。このＢＣＳＭＳは、上記のフェムトセルか非フェムトセル（マクロセル、マイクロセル又はピコセル）かによらず、同様に提供され、例えば、ニュース速報や緊急地震速報等の配信に利用されている。
【先行技術文献】
【特許文献】
【０００５】
【特許文献１】特開２００９−１３０６０２号公報
【発明の概要】
【発明が解決しようとする課題】
【０００６】
しかしながら、非フェムトセルの圏外でフェムトセルのみが存在する場合に、携帯電話機がこのフェムトセルでの位置登録を基地局から拒否されることがある。このとき、携帯電話機は、いずれの基地局にも位置登録できず圏外状態となるので、ＢＣＳＭＳ等のブロードキャストメッセージも受信できなくなる。すると、携帯電話機は、ＢＣＳＭＳ等により配信される地震速報等の緊急情報をも取得できなくなっていた。
【０００７】
本発明は、位置登録が拒否された基地局及び通信回線の負荷を増大させることなく、当該基地局から配信されるブロードキャストメッセージを受信できる無線端末装置及び制御方法を提供することを目的とする。
【課題を解決するための手段】
【０００８】
本発明に係る無線端末装置は、位置登録した基地局を介して発着呼の処理を行う無線端末装置であって、信号を受信可能な基地局を探索する探索部と、前記探索部により探索された全ての基地局において位置登録が許可されなかった場合、当該位置登録が許可されなかった基地局のうちの１つに対して、位置登録せずに受信信号の同期処理を行い、当該基地局からのブロードキャストメッセージの受信待機状態とする制御部と、を備える。
【０００９】
また、前記制御部は、前記位置登録が許可されなかった基地局から、当該位置登録の拒否情報を受信したことに応じて、前記受信待機状態とすることが好ましい。
【００１０】
また、前記制御部は、前記拒否情報に前記ブロードキャストメッセージの受信許可データが含まれる、又は前記ブロードキャストメッセージの受信不許可データが含まれない場合に、前記受信待機状態とすることが好ましい。
【００１１】
また、前記制御部は、前記受信待機状態においては、発呼の操作を受け付けないことが好ましい。
【００１２】
また、前記制御部は、前記受信待機状態においては、緊急呼を示す発呼操作を検出した場合、前記同期処理を行った基地局へ位置登録して発呼要求を行い、その他の発呼操作を検出した場合、当該発呼操作を受け付けないことが好ましい。
【００１３】
また、本発明に係る無線端末装置は、前記受信待機状態であるか否かを示す画面表示を行う表示部を備えることが好ましい。
【００１４】
また、前記探索部は、前記受信待機状態において、一定周期で基地局を探索し、前記制御部は、前記探索部により位置登録可能な基地局が探索された場合、当該基地局へ位置登録し、前記受信待機状態を解除することが好ましい。
【００１５】
本発明に係る制御方法は、位置登録した基地局を介して発着呼の処理を行う制御部を有する無線端末装置の制御方法であって、前記制御部が信号を受信可能な基地局を探索する探索ステップと、前記制御部が前記探索ステップにおいて探索された全ての基地局において位置登録が許可されなかった場合、当該位置登録が許可されなかった基地局のうちの１つに対して、位置登録せずに受信信号の同期処理を行い、当該基地局からのブロードキャストメッセージの受信待機状態とする制御ステップと、を含む。
【発明の効果】
【００１６】
本発明によれば、無線端末装置は、位置登録が拒否された基地局及び通信回線の負荷を増大させることなく、当該基地局から配信されるブロードキャストメッセージを受信できる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る基地局の探索処理を示すシーケンス図である。
【図４】本発明の実施形態に係る受信待機状態への移行処理を示すシーケンス図である。
【図５】本発明の実施形態に係るＢＣＳＭＳの受信処理を示すシーケンス図である。
【発明を実施するための形態】
【００１８】
以下、本発明の実施形態の一例について説明する。なお、本実施形態では、無線端末装置の一例として、携帯電話機１を説明する。
【００１９】
図１は、本実施形態に係る携帯電話機１の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２０】
また、表示部側筐体３は、表面部２０に、各種情報を表示するための表示部２１と、通話の相手側の音声を出力するレシーバ２２と、を備えて構成されている。
【００２１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２２】
図２は、本実施形態に係る携帯電話機１の機能を示すブロック図である。携帯電話機１は、操作部１１と、表示部２１と、制御部３０と、通信部４０と、アンテナ４１と、記憶部５０と、音声制御部６０と、を備える。
【００２３】
制御部３０は、携帯電話機１の全体を制御しており、例えば、表示部２１、通信部４０、音声制御部６０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。なお、本実施形態に係る制御部３０の詳細機能は後述する。
【００２４】
通信部４０は、所定の使用周波数帯（例えば、２ＧＨｚ帯や８００ＭＨｚ帯等）で外部装置（基地局）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００２５】
ここで、通信部４０は、この例においては、データ通信専用の通信プロトコルであるＣＤＭＡ２０００＿１ｘ＿ＥＶＤＯに対応しているが、Ｗ−ＣＤＭＡやＬＴＥであってもよい。通信部４０は、制御部３０からの指令に基づいて、このプロトコルにより、ＢＣＳＭＳで配信されているブロードキャストメッセージを受信して制御部３０へ提供する。
【００２６】
記憶部５０は、例えば、ワーキングメモリを含み、制御部３０による演算処理に利用される。また、本実施形態に係る各種プログラム等を記憶する。さらに、記憶部５０は、位置登録は許可されていないがＢＣＳＭＳを受信可能なフェムトセルの識別情報を記憶する（詳細は後述する）。
【００２７】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナ４１より出力する。
【００２８】
次に制御部３０の機能を、ＢＣＳＭＳを受信する場合を例に詳述する。
制御部３０は、探索部３１と、受信制御部３２と、を備える。
【００２９】
探索部３１は、所定の周波数帯をスキャンし、信号を受信可能な基地局を探索する。このとき、探索部３１は、基地局の捕捉に成功してパイロットチャネルにおけるオーバーヘッドメッセージを受信すると、このオーバーヘッドメッセージに含まれるシステム識別番号（Ｓｙｓｔｅｍ  ＩＤ）及びネットワーク識別番号（Ｎｅｔｗｏｒｋ  ＩＤ）を取得する。探索部３１は、これらの識別番号により、捕捉した基地局がフェムトセルのものであるか否かを判断できる。
【００３０】
続いて、探索部３１は、捕捉した基地局に対して位置登録を要求するが、基地局がフェムトセルのものであり位置登録を拒否する場合、基地局は、位置登録の拒否メッセージ（（Ｅｘｔｅｎｄｅｄ）  Ｇｒｏｂａｌ  Ｓｅｒｖｉｃｅ  Ｒｅｄｉｒｅｃｔｉｏｎ  Ｍｅｓｓａｔｅ）を携帯電話機１へ送信する。
【００３１】
このとき、フェムトセルの基地局は、ＢＣＳＭＳでのブロードキャストメッセージの受信を許可することを示す受信許可データを、位置登録の拒否メッセージに付与する。具体的には、この受信許可データは、３ＧＰＰ２で規定されている所定のパラメータ（ｒｅｔｕｒｎ  ｉｆ  ｆａｉｌ）であってよい。このパラメータは、ＴＲＵＥの場合、他の通信システムが捕捉できなかった際に元の通信システムの捕捉を許可するものであるため、通常は、フェムトセルにおいて位置登録を拒否する場合、ＦＡＬＳＥに設定されている。フェムトセルの基地局は、ブロードキャストメッセージの受信を許可する場合、このパラメータをＴＲＵＥに設定する。
【００３２】
探索部３１は、捕捉した基地局がフェムトセルのものであり、かつ、位置登録の拒否メッセージに受信許可データが付与されている場合、この基地局の識別情報（符号同期を取るためのＰＮ（擬似雑音符号）情報）を記憶部５０に記憶する。
【００３３】
受信制御部３２は、探索部３１により探索された全ての基地局において位置登録が許可されなかった場合、位置登録が許可されなかったフェムトセルの基地局があれば、そのうちの１つに対して、位置登録せずに受信信号の同期処理を行う。そして、受信制御部３２は、この基地局から配信される可能性があるＢＣＳＭＳでのブロードキャストメッセージの受信待機状態とする。
【００３４】
ここで、受信制御部３２は、受信信号の同期処理において、具体的には、記憶部５０を参照し、位置登録が許可されなかったがＢＣＳＭＳでのブロードキャストメッセージの受信が許可されているフェムトセルの基地局の１つのＰＮ情報を特定する。そして、受信制御部３２は、このＰＮ情報を用いて基地局を補足して符号同期を確立する。
【００３５】
このように、携帯電話機１は、位置登録が許可されていないが、ＢＣＳＭＳでのブロードキャストメッセージの受信が許可されているフェムトセルが存在し、かつ、周囲に位置登録可能なセル（フェムトセル又は非フェムトセル）が存在しない場合に、受信待機状態となり、ＢＣＳＭＳで緊急情報等のブロードキャストメッセージを受信できる。
【００３６】
携帯電話機１は、いずれかの基地局に位置登録した上で発着呼処理を行うが、受信制御部３２は、この受信待機状態においては、基地局への位置登録が行われていないため、通常の発呼の操作を受け付けない。具体的には、携帯電話機１は、発呼の操作が行われても、入力された相手先への発呼発信の処理を行わない。
ただし、受信制御部３２は、この受信待機状態において、緊急呼を示す発呼操作を検出した場合には、同期処理を行ってＢＣＳＭＳの受信待機状態となっている基地局へ位置登録し、発呼要求を行う。すなわち、携帯電話機１は、警察や消防を特定する宛先を指定した上での発呼操作が行われた場合には、ＢＣＳＭＳの受信待機状態としている基地局に対して、緊急呼である旨を示すパラメータを送信して位置登録を要求し、位置登録後に発呼する。
【００３７】
ここで、表示部２１は、受信待機状態であるか否かを示す画面表示を行い、発着呼処理の可否とＢＣＳＭＳの受信可否とを、ユーザへ報知する。具体的には、表示部２１は、受信待機状態において、例えば、「圏外」の表示と共に、「緊急速報を受信できます」等の表示を行う。
【００３８】
また、受信待機状態において、探索部３１は、一定周期で基地局を探索することが好ましい。この場合、受信制御部３２は、探索部３１により位置登録可能な基地局が探索されると、この基地局へ位置登録し、発着呼処理ができない受信待機状態を解除する。
【００３９】
図３は、本実施形態に係る携帯電話機１の制御部３０における基地局の探索処理の流れを示すシーケンス図である。
【００４０】
ステップＳ１において、制御部３０（探索部３１）は、通信部４０を介して所定の周波数帯において捕捉可能な基地局をスキャンし、フェムトセルＡ（ＣＳＧセル）の捕捉に成功したものとする。
【００４１】
ステップＳ２において、制御部３０（探索部３１）は、捕捉したフェムトセルＡのパイロットチャネルにおいて、オーバーヘッドメッセージを順次受信する。このとき、携帯電話機１は、同期メッセージ（Ｓｙｎｃ  Ｃｈａｎｎｅｌ  Ｍｅｓｓａｇｅ）により、システム識別番号（Ｓｙｓｔｅｍ  ＩＤ）及びネットワーク識別番号（Ｎｅｔｗｏｒｋ  ＩＤ）を取得する。
【００４２】
ステップＳ３において、制御部３０（探索部３１）は、フェムトセルＡに対して位置登録メッセージ（Ｒｅｇｉｓｔｒａｔｉｏｎ  Ｍｅｓｓａｇｅ）を送信する。そして、制御部３０（探索部３１）は、応答として、上述した所定のパラメータ（ｒｅｔｕｒｎ  ｉｆ  ｆａｉｌ：１）が設定された位置登録の拒否メッセージ（Ｅｘｔｅｎｄｅｄ  Ｇｒｏｂａｌ  Ｓｅｒｖｉｃｅ  Ｒｅｄｉｒｅｃｔｉｏｎ  Ｍｅｓｓａｇｅ）を受信する。
【００４３】
ステップＳ４において、制御部３０（探索部３１）は、「Ｓｙｓｔｅｍ  ＩＤ」及び「Ｎｅｔｗｏｒｋ  ＩＤ」の組み合わせから、捕捉したセルがフェムトセルであり、かつ、ステップＳ３において「Ｅｘｔｅｎｄｅｄ  Ｇｒｏｂａｌ  Ｓｅｒｖｉｃｅ  Ｒｅｄｉｒｅｃｔｉｏｎ  Ｍｅｓｓａｇｅ」から「ｒｅｔｕｒｎ  ｉｆ  ｆａｉｌ：ＴＲＵＥ」を受信したか否かを判定する。制御部３０は、この判定がＹＥＳの場合、処理をステップＳ５に移し、判定がＮＯの場合、処理をステップＳ６に移す。
【００４４】
ステップＳ５において、制御部３０（探索部３１）は、フェムトセルＡの識別情報（ＰＮ情報）を、ＢＣＳＭＳ受信が可能なＣＳＧセルとして、記憶部５０に記憶する。
【００４５】
ステップＳ６において、制御部３０（探索部３１）は、位置登録可能なセルを求めて、フェムトセルＡ以外のセルをさらにスキャンする。この例では、他のセル（セルＢ、Ｃ及びＤ）の捕捉に失敗したものとする。
【００４６】
携帯電話機１は、いずれのセルにおいても位置登録に失敗したので、ＢＣＳＭＳの受信待機状態への移行を試みる。なお、位置登録に成功した場合には、携帯電話機１は、位置登録した基地局からＢＣＳＭＳを受信することとなる。
図４は、本実施形態に係る携帯電話機１の制御部３０における受信待機状態への移行処理の流れを示すシーケンス図である。
【００４７】
ステップＳ１１において、制御部３０（受信制御部３２）は、ＢＣＳＭＳ受信が可能なＣＳＧセルの識別情報が記憶部５０に記憶されているか否かを判定する。制御部３０は、この判定がＹＥＳの場合、処理をステップＳ１２に移し、判定がＮＯの場合、受信待機状態へ移行できないので、圏外状態へ移行する。
【００４８】
ステップＳ１２において、制御部３０（受信制御部３２）は、記憶部５０に記憶されている識別情報に基づいて、ＣＳＧセルをスキャンし、フェムトセルＡを捕捉する。
【００４９】
ステップＳ１３において、制御部３０（受信制御部３２）は、捕捉したフェムトセルＡのパイロットチャネルにおいて、オーバーヘッドメッセージを順次受信する。
【００５０】
ここで、ＢＣＳＭＳにおけるブロードキャストメッセージは、基地局と同期さえしていれば受信可能であり、携帯電話機１は、必ずしも基地局への位置登録が完了している必要はない。したがって、その後、制御部３０は、フェムトセルＡに対してアクセスせず、各種メッセージ（例えば、Ｒｅｇｉｓｔｒａｔｉｏｎ  Ｍｅｓｓａｇｅ、Ｏｒｉｇｉｎａｔｉｏｎ  Ｍｅｓｓａｇｅ）の送信を行わない。
【００５１】
図５は、本実施形態に係る携帯電話機１の制御部３０におけるＢＣＳＭＳの受信処理の流れを示すシーケンス図である。
【００５２】
ステップＳ２１において、制御部３０は、符号同期を行った基地局に対して、ページングチャネルのメッセージ（Ｅｘｔｅｎｄｅｄ  Ｓｙｓｔｅｍ  Ｐａｒａｍｅｔｅｒｓ  Ｍｅｓｓａｇｅ）を周期的に監視し、ＢＣＳＭＳの配信に関する報知情報（ＢＣＡＳＴ＿ＩＮＤＥＸ）を取得する。ＢＣＳＭＳによる配信がない場合、この報知情報（ＢＣＡＳＴ＿ＩＮＤＥＸ）は、「０」となっている。
【００５３】
ステップＳ２２において、制御部３０は、基地局からＢＣＳＭＳの配信が行われることを示す報知情報（ＢＣＡＳＴ＿ＩＮＤＥＸ：１〜７）を受信すると、このＢＣＡＳＴ＿ＩＮＤＥＸの値に応じて決定されるタイミングでスロットを監視し、緊急情報を含むメッセージ（Ｄａｔａｂｕｒｓｔ  Ｍｅｓｓａｇｅ）を受信する。
このとき、制御部３０は、受信応答（ＳＭＳ−Ａｃｋ）を返信しないため、基地局に対するアクセスは発生せず、基地局や回線への負荷は増大しない。
【００５４】
ステップＳ２３において、ＢＣＳＭＳの配信が終了すると、制御部３０は、基地局から報知情報（ＢＣＡＳＴ＿ＩＮＤＥＸ：０）を受信し、通常の監視周期に戻る。
【００５５】
なお、制御部３０は、ＢＣＳＭＳの受信処理において、例えば、ＢＣＳＭＳのフォーマットが破損している、又は改竄されている等、ＢＣＳＭＳにより配信されるメッセージを受信できる見込みがないと判断される事象が検出された場合、受信待機状態を解除することとしてよい。
【００５６】
以上のように、本実施形態によれば、携帯電話機１は、フェムトセルの基地局から位置登録を拒否された場合にも、基地局と符号同期をとり、この基地局へアクセスすることなくＢＣＳＭＳの受信待機状態とすることができる。その結果、携帯電話機１は、位置登録が拒否された基地局及び通信回線の負荷を増大させることなく、緊急情報等のブロードキャストメッセージを受信できる。
【００５７】
また、携帯電話機１は、フェムトセルから位置登録の拒否情報（Ｇｒｏｂａｌ  Ｓｅｒｖｉｃｅ  Ｒｅｄｉｒｅｃｔｉｏｎ  Ｍｅｓｓａｇｅ）を受信することにより、ＣＳＧセルであることを把握できる。さらに、携帯電話機１は、ＢＣＳＭＳの受信を許可するパラメータとして、例えば「ｒｅｔｕｒｎ  ｉｆ  ｆａｉｌ」を受信することにより、受信待機状態への移行が可能であることを明確に判断できる。なお、逆に、ＢＣＳＭＳの受信を許可しない旨のパラメータを通信事業者あるいはＣＳＧセルの管理者が設定可能な場合には、携帯電話機１は、この不許可のパラメータを受信しないことをもって、受信待機状態へ移行してもよい。
【００５８】
また、携帯電話機１は、受信待機状態において発着呼の操作を受け付けないので、符号動機を行った基地局に対してアクセスすることがない。ただし、携帯電話機１は、受信待機状態であっても、緊急呼に関しては受け付けて基地局へ発呼要求を行うので、緊急時の利便性を確保できる。
【００５９】
また、携帯電話機１は、受信待機状態であるか否かを表示して報知するので、ユーザは、発着信の可否とＢＣＳＭＳの受信可否を容易に知ることができる。
【００６０】
また、携帯電話機１は、ＣＳＧセルにおいて受信待機状態にあるとき、他のセルが捕捉できれば、位置登録を試みる。したがって、携帯電話機１は、発着呼ができない受信待機状態の時間を極力短縮できる。
【００６１】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６２】
前述の実施形態のＢＣＳＭＳは、ＣＤＭＡ２０００＿１ｘ方式における例に過ぎず、３ＧＰＰ準拠の近似するセル内におけるブロードキャストサービスであってもよい。例えば、ＬＴＥにおいては、ｅ−ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）を用いてもよい。
【００６３】
また、本発明に係る無線端末装置は、携帯電話機１には限られず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）の他、ゲーム機、ナビゲーション装置、パーソナルコンピュータ等、様々な端末装置に適用可能である。
【符号の説明】
【００６４】
１  携帯電話機（無線端末装置）
１１  操作部
２１  表示部
３０  制御部
３１  探索部
３２  受信制御部
４０  通信部
４１  アンテナ
５０  記憶部
６０  音声制御部
【図１】
2011250140.tif 000003
【図２】
2011250140.tif 000004
【図３】
2011250140.tif 000005
【図４】
2011250140.tif 000006
【図５】
2011250140.tif 000007